(57)【要約】【課題】錠前を扉に付けた後でも容易にラッチヘッドの向きを変更でき、その際、ラッチヘッドの回す角度を小さくし、しかも、水平面内で回せる様にしてラッチヘッドの傾斜ガイド面及び垂直ロック面の切替変更操作を簡単容易にしたラッチ錠を提供すること。【解決手段】開扉状態から閉扉方向への移動時にドア枠２の受け座３に当接摺動して退入させる傾斜ガイド面４と閉扉状態から開扉方向への移動時にはドア枠２の受け座３に係止して開扉を阻止する垂直ロック面５とを先端に備えるラッチヘッド６をケース本体７内に出退可能に支持し、該ラッチヘッド６を、第２ばね（ラッチばね）１９により常時突出方向に付勢したラッチ錠において、前記ラッチヘッド６をケース本体７内で縦軸１１回りで回動させて該ラッチヘッド６の先端の傾斜ガイド面４と垂直ロック面５とを切替変更可能とした。【選択図】図１
2006118165.tif 000002
【特許請求の範囲】
【請求項１】
開扉状態から閉扉方向への移動時にドア枠の受け座に当接摺動して退入させる傾斜ガイド面と閉扉状態から開扉方向への移動時にはドア枠の受け座に係止して開扉を阻止する垂直ロック面とを先端に備えるラッチヘッドをケース本体内に出退可能に支持し、該ラッチヘッドを、ラッチばねにより常時突出方向に付勢したラッチ錠において、
前記ラッチヘッドをケース本体内で縦軸回りで回動させて該ラッチヘッドの先端の傾斜ガイド面と垂直ロック面とを切替変更可能としたことを特徴とするラッチ錠。
【請求項２】
前記ラッチ錠は、前記縦軸から離隔した位置のラッチヘッドに該縦軸と平行な姿勢変更部材を有し、かつ、該姿勢変更部材を介してラッチヘッドを不回転状態に保持して出退可能に保持し少なくともラッチヘッドの出退方向の一端にＵターン連通部を形成した２条のガイド溝を有するラッチヘッドガイドを備えていることを特徴とする請求項１に記載のラッチ錠。
【請求項３】
前記Ｕターン連通部は、ラッチヘッドの突出端側に配置されていることを特徴とする請求項２に記載のラッチ錠。
【請求項４】
前記Ｕターン連通部は、ラッチヘッドの退入端側に配置されていることを特徴とする請求項２に記載のラッチ錠。
【請求項５】
前記ラッチ錠は、前記縦軸から離隔した位置のケース本体側に姿勢変更部材を設け、これに対応してラッチヘッド側に２条のガイド溝を設けて何れか一方のガイド溝を前記姿勢変更部材に切替変更して係合させることによりラッチヘッドを変更された姿勢で不回転状態に保持して出退可能としてあることを特徴とする請求項１に記載のラッチ錠。
【発明の詳細な説明】
【技術分野】
【０００１】
本発明は、開き扉に取り付けられるラッチ錠に関するものである。
【背景技術】
【０００２】
ラッチ錠は、開き扉の開き方向に合わせてラッチヘッドの傾斜ガイド面及び垂直ロック面の向きを合わせて取り付ける必要がある。
一般的なラッチ錠は、ケース本体の前板を外し、ラッチヘッドを回転させて再び前板をセットするようにしている。しかし、この場合、仮に前板を付けた後でラッチヘッドの向きを変える必要がある場合には、わざわざネジを外して、ラッチヘッドを回す必要がある。一般的にはドアはラッチ錠を付けた状態で出荷されるため、施工現場ではこのようなラッチヘッドを回転させる作業が必要な場合が多々発生する。
【０００３】
上記点を解決するために、従来、扉の開き方向が右勝手のものと、左勝手のものとに対して、ラッチヘッドの傾斜ガイド面及び垂直ロック面の向きを変更することによって共用化を図ったものが提案されている（例えば、特許文献１、２参照）。
【特許文献１】特開２００１−２７９９７３号公報
【特許文献２】特開２００１−２８８９３８号公報
【発明の開示】
【発明が解決しようとする課題】
【０００４】
上記提案のラッチ錠は、ラッチヘッドの上記向きを変更する際、ラッチヘッドをラッチばねに抗してケース本体前板のラッチ出入り孔（角穴）から引き出して、ラッチの出入り方向に沿う軸線（横軸線）の回りでラッチヘッドを上下反転させて行っている。
この様に、ラッチヘッドを引き出した状態で上下反転させる操作は、ラッチヘッドを引き出し状態に保持した状態でさらに垂直面内で１８０度分だけ大きく回すことが必要となり、この回動操作が容易ではない。
本発明は、錠前を扉に付けた後でもラッチヘッドの向きを変更でき、その際、ラッチヘッドの回す角度を小さくし、しかも、水平面内で回せる様にしてラッチヘッドの傾斜ガイド面及び垂直ロック面の切替変更操作を簡単容易にしたラッチ錠を提供することを目的としている。
【課題を解決するための手段】
【０００５】
上記目的を達成するため、本発明は、開扉状態から閉扉方向への移動時にドア枠の受け座に当接摺動して退入させる傾斜ガイド面と閉扉状態から開扉方向への移動時にはドア枠の受け座に係止して開扉を阻止する垂直ロック面とを先端に備えるラッチヘッドをケース本体内に出退可能に支持し、該ラッチヘッドを、ラッチばねにより常時突出方向に付勢したラッチ錠において、前記ラッチヘッドをケース本体内で縦軸回りで回動させて該ラッチヘッドの先端の傾斜ガイド面と垂直ロック面とを切替変更可能としたものである。
前記ラッチ錠は、前記縦軸から離隔した位置のラッチヘッドに該縦軸と平行な姿勢変更部材を有し、かつ、該姿勢変更部材を介してラッチヘッドを不回転状態に保持して出退可能に保持し少なくともラッチヘッドの出退方向の一端にＵターン連通部を形成した２条のガイド溝を有するラッチヘッドガイドを備えている。
【０００６】
また、前記Ｕターン連通部は、ラッチヘッドの突出端側に配置されていてもよく、或いは、ラッチヘッドの退入端側に配置されていてもよい。
さらに、前記ラッチ錠は、前記縦軸から離隔した位置のケース本体側に姿勢変更部材を設け、これに対応してラッチヘッド側に２条のガイド溝を設けて何れか一方のガイド溝を前記姿勢変更部材に切替変更して係合させることによりラッチヘッドを変更された姿勢で不回転状態に保持して出退可能としてあってもよい。
【発明の効果】
【０００７】
本発明によれば、錠前を扉に付けた後でも容易にラッチヘッドの向きを変更でき、その際、ラッチヘッドの回す角度を小さくし、しかも、水平面内で回せる様にしてラッチヘッドの傾斜ガイド面及び垂直ロック面の切替変更操作を簡単容易にすることができる。
【発明を実施するための最良の形態】
【０００８】
以下、本発明に係るラッチ錠の実施形態を図面に基づいて説明する。
本発明に係るラッチ錠１は、図１（Ａ）（Ｂ）に示すように、開扉状態から閉扉方向への移動時にドア枠２の受け座３に当接摺動して退入させる傾斜ガイド面４と閉扉状態から開扉方向への移動時にはドア枠２の受け座３に係止して開扉を阻止する垂直ロック面５とを先端に備えるラッチヘッド６をケース本体７内に出退可能に支持し、該ラッチヘッド６を、ラッチばね８により常時突出方向に付勢し、該ラッチヘッド６に連結されたラッチ軸９をケース本体７内に設置されたハブ１０の回動操作によってラッチヘッド６の退入方向に操作可能とした構造を備えている。
【０００９】
ラッチヘッド６は、図２（Ｃ）〜（Ｅ）に示すように、平面視略菱形ブロック形状とされ、先端の傾斜ガイド面４と垂直ロック面５とは平面視４５度の角度で形成されており、該菱形の中心部に軸孔６ａが縦方向（前記平面に直交する方向）に貫通して形成され、この軸孔６ａに平行なピン孔６ｂが前記菱形の後端側に貫通して形成され、このピン孔６ｂの回りで前記菱形の後端は短く円弧状に形成されている。
上記ラッチヘッド６には、後端側から軸孔６ａに向けて延びるスリット部６ｃが前記ブロック形状の厚さ方向の中央部に形成されており、この中央部のスリット部６ｃに図２（Ａ）（Ｂ）に示すようなラッチ軸９の先端が挿入され、このラッチ軸９の先端とラッチヘッド６とがラッチ回転軸１１を介して縦軸回りで回転可能に連結されている。ラッチ軸９は、図２（Ａ）（Ｂ）に示すように、板状であって、先端側に軸孔９ａと円弧状長孔９ｂを有し、該軸孔９ａがラッチヘッド６の軸孔６ａにラッチ回転軸１１を介して回動可能に連結されている。
【００１０】
ラッチヘッド６のピン孔６ｂには姿勢変更ピン１２が貫通状態で挿通固定され、該姿勢変更ピン１２は、ラッチ軸９の円弧状長孔９ｂを貫通して挿通されている。
ケース本体７には、図１（Ａ）（Ｂ）に示すように、上記姿勢変更ピン１２を介してラッチヘッド６を不回転状態に保持して出退可能に支持するラッチヘッドガイド１３が固定支持されている。ケース本体７は、図１（Ｂ）に示すように、一側が開口した箱体７ａと、該箱体７ａの開口部を閉鎖する蓋体７ｂとで構成されている。
上記ラッチヘッドガイド１３は、図１（Ｂ）、図３（Ａ）（Ｂ）に示すように、ラッチヘッド６の出退方向に延びる上下板１３ａ、１３ｂと、この上下板１３ａ、１３ｂを一側で連結する側板１３ｃとからなる縦断面コ字形をなし、その上下板１３ａ、１３ｂ部にラッチヘッド６の出退方向の一端側にＵターン連通部１３ｄを有する２条のガイド溝１３ｅ、１３ｆがラッチヘッド６の出退方向に平行に形成されている。このガイド溝１３ｅ、１３ｆは、姿勢変更ピン１２の案内軌道となるもので、その一方には、姿勢変更ピン１２の上下両端が常に係合されている。
【００１１】
上記ガイド溝１３ｅ、１３ｆの一端側のＵターン連通部１３ｄは、図３（Ｂ）に示すように、２条のガイド溝１３ｅ、１３ｆを区画している中央部ガイド片１３ｇが両側のガイド片１３ｈ、１３ｉよりも短くされ、この中央部ガイド片１３ｇの端部で姿勢変更ピン１２を一方のガイド溝１３ｅから他方のガイド溝１３ｆへ案内軌道を変更して係合させるための連通部として形成されている。
ラッチ軸９の中間部より後端側には図１（Ａ）に示すように、第１〜第３ラッチ軸ガイド１４〜１６が挿通され、第１ラッチ軸ガイド１４は、ケース本体７に係止固定され、第３ラッチ軸ガイド１６はラッチ軸９の後端部に固着されている。
【００１２】
第１ラッチ軸ガイド１４に対して、ラッチ軸９は、ラッチヘッド６の出退方向に移動自在に挿通支持されている。第１ラッチ軸ガイド１４は、図４（Ｅ）（Ｆ）に示すような形状をなし、ラッチ軸９の挿通孔１４ａを有している。また、第２ラッチ軸ガイド１５は、ラッチ軸９の係止段部９ｃにラッチヘッド６の突出方向への移動時には係止するが、逆方向への移動時には係止せず自由に移動できるようにラッチ軸９に挿通されている。
上記第２、第３ラッチ軸ガイド１５、１６は、図４（Ａ）〜（Ｄ）に示すように、両側に翼片１５ａ、１６ａを有し、この翼片１５ａ、１６ａをケース本体７の箱体７ａと蓋体７ｂに形成された共通のガイド溝７ｃにラッチヘッド６の出退方向に移動可能に係合支持されている。これによって、ラッチ軸９は、ケース本体７内で、ラッチヘッド６の出退方向に平行移動可能に支持されている。なお、第２、第３ラッチ軸ガイド１５、１６には、図４（Ａ）（Ｃ）に示すように、ラッチ軸９の挿通孔１５ｂ、１６ｂが形成されている。
【００１３】
上記第１ラッチ軸ガイド１４と第２ラッチ軸ガイド１５間には図１（Ａ）に示すように、ハブ１０の作動片１０ａが係合されている。
ハブ１０は、ケース本体７の箱体７ａと蓋体７ｂとの間に回動可能に支持されており、図３（Ｃ）（Ｄ）にも示すように、２つの作動片１０ａ、１０ｂを有し、作動片１０ａには、ラッチ軸９の係合孔１０ｃが形成され、また、ハブ１０の中心部にはドアハンドル（図示省略）の角軸が嵌合する角穴１０ｄが形成されている。一方の作動片１０ａは、上記第１・第２ラッチ軸ガイド１４、１５を介してラッチ軸９と係合され、他方の作動片１０ｂは、ケース本体７の下部収納部７ｄに収納された第１ばね（ハブばね）１７にばね受けガイド１８を介して当接係止されている。第１ばね１７は、ハブ１０を介してラッチ軸９をラッチヘッド６の突出方向に押圧付勢するためのもので、この方向へのハブ１０の回動端は、ケース本体７に設置されたストッパ７ｆによって規制されている。
【００１４】
前記第１ラッチ軸ガイド１４とラッチヘッド６との間には、図１（Ａ）に示すように、第２ばね（ラッチばね）１９がばね受け２０を介して圧縮介在されている。また、第２ラッチ軸ガイド１５と第３ラッチ軸ガイド１６との間には、第３ばね２１がばね受け２２を介して圧縮介在されている。
上記構成によって、ラッチ軸９は、ハブ１０の作動片１０ａに対して、第２ばね１９によりラッチヘッド６を突出させる方向に付勢され、また、第３ばね２１によってラッチヘッド６を退入させる方向に付勢された状態でハブ１０の作動片１０ａの両側に圧接されている。なお、第３ばね２１は、第２ばね１９よりも強いばねが使用されており、これによって、通常の状態では、第２ラッチ軸ガイド１５をラッチ軸９の前記係止段部９ｃに押圧係止させた状態で該第２ラッチ軸ガイド１５をハブ１０の作動片１０ａに圧接した状態に保持されている。
【００１５】
この状態は、ラッチヘッド６が第２ばね１９に抗して退入することが可能となっており、また、ラッチヘッド６を第３ばね２１に抗して突出方向に引き出すことも可能となっている。
本発明の実施形態は、以上の構成からなるもので、次に、動作を説明する。
図１（Ｂ）の状態においては、姿勢変更ピン１２がラッチヘッドガイド１３の上側のガイド溝１３ｅに係合した状態にあり、この状態においては、傾斜ガイド面４が図１（Ｂ）の上側にあり、開扉状態のドアが同図下側から上側へ閉まるとすると、閉扉直前でラッチヘッド６の傾斜ガイド面４がドア枠２の受け座３に当接して摺動しながら第２ばね１９に抗してケース本体７の前面側のラッチ出入り孔７ｅから退入せしめられて受け座３内の凹部に嵌合したところで突出復帰してドアを閉鎖状態に係止保持する。このときにおけるラッチヘッド６の姿勢は、姿勢変更ピン１２が上側のガイド溝１３ｅに係合したままで退入するため、同一姿勢に保持されたままである。この閉扉状態からドアを開けるには、ドアハンドルを操作してハブ１０を図１（Ａ）において時計方向に回動操作すれば、作動片１０ａにより第３バネ２１を介してラッチ軸９が退入方向に操作され、このラッチ軸９に連結されているラッチヘッド６が退入してドア枠２の受け座３に対する係止を解除するため、開扉することができる。即ち、本発明のラッチ錠１は、通常では、ドアの開閉時の動作は、従来と同様である。
【００１６】
次に、上記と開き勝手が異なるドアに本発明のラッチ錠１を適用する場合について説明する。この場合には、図１（Ｂ）において、ラッチヘッド６を第３ばね２１に抗してラッチヘッドガイド１３のＵターン連通部１３ｄまで引き出してラッチ回転軸（縦軸）１１の回りで時計方向に所定角度（４５度程度）回動させて姿勢変更ピン１２を上側のガイド溝１３ｅから下側のガイド溝１３ｆに切替変更して退入復帰させる。即ち、図５（Ａ）〜（Ｃ）に示すように、操作すれば、ラッチヘッド６がラッチ回転軸（縦軸）１１の回りで所定角度（４５度）回転して、先端の傾斜ガイド面４と垂直ロック面５が反転した状態に保持され、以後、この状態で、従来と同様に使用することができる。
【００１７】
上記実施形態は、ラッチヘッドガイド１３のＵターン連通部１３ｄをラッチヘッド６の突出方向端側（前端側）に設定した場合を例示しているが、本発明においては、図６（Ａ）（Ｂ）に示すように、ラッチヘッドガイド１３のＵターン連通部１３ｄをラッチヘッド６の退入方向端側（後端側）に設定して実施することもできる。この場合は、図７（Ａ）〜（Ｃ）に示すように、ラッチヘッド６を、第３ばね２１に抗して閉扉時におけるドア枠２の受け座３で退入される位置を越えてラッチヘッドガイド１３のＵターン連通部１３ｄまで押し込んで退入させ、ラッチ回転軸（縦軸）１１の回りで時計方向に所定角度（４５度程度）回動させて姿勢変更ピン１２を上側のガイド溝１３ｅから下側のガイド溝１３ｆに切替変更して突出復帰させる。これにより、ラッチヘッド６の先端の傾斜ガイド面４と垂直ロック面５が反転した状態に保持され、以後、この状態で従来と同様に使用することができる。
【００１８】
本発明の実施形態の構成及び動作は以上の通りであるが、本発明は、これらの実施形態にのみ制約されるものではなく、特許請求の範囲に記載された意味と範囲内において、適宜変更して実施してもよい。例えば、姿勢変更ピン１２は、別部材でなくラッチヘッド６に一体に形成した突起などの姿勢変更部材であればよい。また、ラッチヘッドガイド１３は、コ字形に限らず、箱状や板状の２分割構造であってもよく、しかも、別部材でなく、ケース本体７に一体に成形されていてもよい。さらに、本発明は、姿勢変更部材１２とラッチヘッドガイド１３との関係を逆にして実施してもよい。即ち、図８に示すように、ラッチヘッド６にガイド溝１３ｅ、１３ｆをラッチ回転軸１１の中心からラッチヘッド６の変更角度に合わせた角度で形成し、姿勢変更部材１２はケース本体７側に固定設置し、該姿勢変更部材１１とラッチ回転軸１１とは、ラッチヘッド６の出退方向に平行に配置する。なお、本発明は、サムターン付きのラッチ錠に適用しても良い。
【図面の簡単な説明】
【００１９】
【図１】（Ａ）（Ｂ）は本発明の第１実施形態の側面図と平面図である。
【図２】（Ａ）（Ｂ）はラッチ軸の平面図と側面図である。（Ｃ）（Ｄ）（Ｅ）はラッチヘッドの平面図、横断平面図、側面図である。
【図３】（Ａ）（Ｂ）はラッチヘッドガイドの端面図と平面図である。（Ｃ）（Ｄ）はハブの側面図と端面図である。
【図４】（Ａ）（Ｂ）は第３ラッチ軸ガイドの端面図と側面図である。（Ｃ）（Ｄ）は第２ラッチ軸ガイドの端面図と側面図である。（Ｅ）（Ｆ）は第１ラッチ軸ガイドの端面図と側面図である。
【図５】（Ａ）（Ｂ）（Ｃ）は第１実施形態の動作順序説明図である。
【図６】第２実施形態の側面図と平面図である。
【図７】（Ａ）（Ｂ）（Ｃ）は第２実施形態の動作順序説明図である。
【図８】本発明の別の実施形態の要部の構成を示す説明図である。
【符号の説明】
【００２０】
１    ラッチ錠
２    ドア枠
３    受け座
４    傾斜ガイド面
５    垂直ロック面
６    ラッチヘッド
７    ケース本体
９    ラッチ軸
１０  ハブ
１１  ラッチ回転軸
１２  姿勢変更ピン
１３  ラッチヘッドガイド
【図１】
2006118165.tif 000003
【図２】
2006118165.tif 000004
【図３】
2006118165.tif 000005
【図４】
2006118165.tif 000006
【図５】
2006118165.tif 000007
【図６】
2006118165.tif 000008
【図７】
2006118165.tif 000009
【図８】
2006118165.tif 000010